(57)【要約】      （修正有）【課題】広い範囲での照明が得られる利便性の高い携帯式ＬＥＤ灯具を提供する。【解決手段】透明又は半透明のアクリル樹脂等の合成樹脂、又はガラス等で形成された灯具本体１の内部には、単数、又は複数のＬＥＤ灯３が設けられ、ＬＥＤ灯は、配線基板４に接続され、更に灯具本体に設けた充電器より給電できるように構成されている。【選択図】図１
0003206375.tif 000002
【実用新案登録請求の範囲】
【請求項１】
灯具本体は、カバーが透明又は半透明のアクリル樹脂等の合成樹脂、又はガラスで形成され、筒状に設けられており、カバーの内部には、単数、又は複数のＬＥＤ灯が、回路基板を介して取付けられており、前記灯具本体は、回転軸を介して支持本体に回転可能に取付けられており、配線は、回路基板から回転軸の内部を経由し切替えスイッチへと連結されており、更に電源に接続可能となっており、支持本体、及び／又は灯具本体内には、蓄電器が設けられており充電可能に構成されていることを特徴とする携帯式灯具。
【請求項２】
灯具本体のカバー内には、仕切り板が設けられ、上部の機器との接触を防ぐと共に、反射塗料が塗布、又は接着により設けられ、光の集中により照度が向上するよう構成されており、及び／又は仕切り板を、蓄光体仕切り板とし、アルミン酸ストロンチウム系等の蓄光体を併設、形成することにより、消灯時もその残光により、置き場所を確認することができることを特徴とする請求項１記載の携帯式灯具。
【請求項３】
灯具本体への給電装置は、交流電源、又は非接触型充電器、又はＳＤカード、又はマイクロＳＤカード、又はＵＳＢ端子、又はＨＤＭＩ端子、又はマイクロＨＤＭＩ端子、又はスマートホーン端子、又は上記のいずれか２種以上の組合せによる給電装置によって構成されていることを特徴とする請求項１、又は請求項２記載の携帯式灯具。
【考案の詳細な説明】
【技術分野】
【０００１】  本考案は、暗所において移動可能なＬＥＤ灯具に関する。
【背景技術】
【０００２】  屋内、屋外等の移動式照明具としては従来白熱灯の懐中電灯が多用されている。
しかるにこれらの白熱球灯具は、球の寿命が短く、消費電力が大きいため電池の消耗が著しく、照度も不十分なものであった。
暗所における照明手段として簡便かつ十分な明るさの確保できる移動式ＬＥＤ灯具が望まれてきた。【０００３】  更に従来の懐中電灯では、照明範囲が狭く、広い範囲での照明が可能で、且つあらゆる方向、角度の得られる灯具が強く望まれていた。
特に災害時の停電時や、照明のない所では、災害時の居場所の表示等が不十分であった。
【考案の概要】
【考案が解決しようとする課題】
【０００４】  本考案は、これらの問題を解消しようとするＬＥＤ灯具又は、ＣＣＦＬ灯具を提供するものである。
【課題を解決するための手段】
【０００５】  灯具本体は、カバーが透明又は半透明のアクリル樹脂等の合成樹脂、又はガラスで形成され、筒状に設けられており、カバーの内部には、単数、又は複数のＬＥＤ灯が、回路基板を介して取付けられており、前記灯具本体は、回転軸を介して支持本体に回転可能に取付けられており、配線は、回路基板から回転軸の内部を経由し切替えスイッチへと連結されており、更に電源に接続可能となっており、支持本体、及び／又は灯具本体内には、蓄電器が設けられており充電可能に構成されていることを特徴とする携帯式灯具を提供する。【０００６】  灯具本体のカバー内には、仕切り板が設けられ、上部の機器との接触を防ぐと共に、反射塗料が塗布、又は接着により設けられ、光の集中により照度が向上するよう構成されており、及び／又は仕切り板を、蓄光体仕切り板とし、アルミン酸ストロンチウム系等の蓄光体を併設、形成することにより、消灯時もその残光により、置き場所を確認することができることを特徴とする請求項１記載の携帯式灯具を提供する。【０００７】  灯具本体への給電装置は、交流電源、又は非接触型充電器、又はＳＤカード、又はマイクロＳＤカード、又はＵＳＢ端子、又はＨＤＭＩ端子、又はマイクロＨＤＭＩ端子、又はスマートホーン端子、又は上記のいずれか２種以上の組合せによる給電装置によって構成されていることを特徴とする請求項１、又は請求項２記載の携帯式灯具を提供する。
【考案の効果】
【０００８】  （１）様々な角度を照射することが出来る。
（２）通常の家庭用等の交流電源Ｓにより充電可能、又は非接触型充電器、又はＳＤカ        ード、マイクロＳＤカード、ＵＳＢ端子、又はＨＤＭＩ端子、又はマイクロＨＤ        ＭＩ端子、又はスマートホーン端子、又は上記のいずれか２種以上の組合せによ        る給電装置によって充電可能に構成されている。
（３）仕切板の上部外面には反射塗料が塗布、又は接着等により設けられ光の集中によ        り照度が向上する。
（４）又、蓄光体仕切り板を使用することで、消灯時もその残光により、置き場所を確        認することができる。
（５）災害時の危険状態では、赤色の点滅により居場所の表示を行うことができる。
（６）その時にブザー音を発生すると、さらに効果的である。
（７）半光、調光モードとすれば消費電力が減り、節電状態とすることができる。
【図面の簡単な説明】
【０００９】
【図１】実施例１の全体斜視図である。
【図２】実施例１の垂直断面拡大図である。
【図３】断面Ａ―Ａの拡大断面図である。
【図４】実施例１の左側面図である。
【図５】実施例１の右側面図である。
【図６】実施例１、２の使用状態を示す概略図である。
【図７】実施例１、２の使用状態を示す概略図である。
【図８】実施例１、２の天井裏での使用状態を示す概略図である。
【図９】天井裏での使用状態の拡大断面図である。
【図１０】実施例２のＣＣＦＬ灯を用いた全体斜視図である。
【考案を実施するための形態】
【００１０】  従来、懐中電灯等の移動型照明具は、蛍光灯のように広い範囲の照明が可能な灯具が強く望まれていた。
本考案は、ＬＥＤ灯具において、暗所における作業時や、設置時、または災害時に十分な照度を広範囲に得ることができる新規の構造を提供するものである。
しかも充電機能を有するため、移動時にも点灯し、使用しやすく簡単な構造で安価に構成できる極めて実用的な手段を提供するものである。
【００１１】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１２】  以下、本考案の実施例について、図面を参照しながら説明する。
図１は、本考案の実施例１の全体斜視図である。
図２は、実施例１の垂直断面拡大図である。
図３は、断面Ａ―Ａの拡大断面図である。【００１３】  図１、２に示すように、灯具本体１のカバー２が透明又は半透明のアクリル樹脂等の合成樹脂、又はガラス等で形成され、筒状に設けられている。カバー２の内部には、単数、又は複数のＬＥＤ灯３が、回路基板４を介して取付けられている。
ＬＥＤ灯３は、回路基板４に接続され、カバー２の両端面には端面カバー５が設けられ、灯具本体１は、回転軸６を介して支持本体７に回転可能に取り付けられている。
回路基板４は、基板押え２０により固定されている。
支持本体７の中央下部は、透明板７ａとなっており支持本体７の連結材となっているとともに灯具本体１を下方に回転させたときに、光を透過するようになっている。
図８、図９には天井裏でのその使用状態を示している。【００１４】  次に配線は、回路基板から回転軸６の内部を経由し切替えスイッチ８へと連結されている。該切替えスイッチ８は、その端部を押すと、ＯＮ，ＯＦＦ，点滅をはじめとして、避難灯としての赤色発光、ブザー発声、感光モード等の種々の切替えが可能となっている。切替スイッチは、機能を分けて別の切替えスイッチ８ａを設けてもよい。
また、切替えスイッチ８の外周には、調節部９が設けられ、明るさや、ブザー音を強弱出来るよう構成されている。【００１５】  一方、支持本体７の下部には、蓄電器１０が設けられており、後述するさまざまの電源からを蓄電できるようになっている。又、蓄電器１０は、灯具本体内に設けてもよい。
また、支持本体の下面の一部には磁石、又は面ファスナー、又は吸盤等の接着部材１１が、設けられており、外部の磁性体や、天井等の磁性体又は面ファスナー、平面等に接着し、位置固定できるようになっている。【００１６】  又、図２に示すように灯具本体１のカバー２内には、仕切り板１３が設けられ、上部の機器との接触を防ぐと共に、反射塗料が塗布、又は接着等により設けられ、光の集中により照度が向上するよう構成されている。【００１７】  更に仕切り板１３を、蓄光体仕切り板とし、アルミン酸ストロンチウム系等の蓄光体を併設、形成することもできる。【００１８】  ＬＥＤ灯３は、光の構成が赤、青、緑の光３原色を合成して白色を得るので、赤色のみを灯すことも可能である。又は、赤色灯を単独に設けても良い。
災害時の危険状態等では、赤色の点滅により居場所の表示を行うことができる。その時にブザー音を発生すると、さらに効果的である。【００１９】  調節部９により、照度を落として、半光、調光モードとすれば消費電力が減り、節電状態とすることができる。【００２０】  このように構成することで、例えば点検時に用いると目に入射される光が少ないため、目に優しい照明ができる。【００２１】  又、図２に示す如くＬＥＤ灯具のカバー２の内側にセンサーユニット２１を設けることが出来る。
該センサーユニット２１には、コントローラ（図示せず）が内蔵されており、外部の明るさに応じて照度を調節したり、人感センサーとして人が、作業範囲に近づくと点灯する等の各種用途を備えることもできる。又、放置状態にしておくと、コントローラ内のタイマーにより自動的に、点滅、赤色点灯等に使用することもできる。温度計を装備し、表示部１９に温度を表示することもできる。【００２２】  図６、図７は、灯具本体の使用状態を示す概略図である。
これは、首にかけた状態を示しているが、ＬＥＤ灯は、回転軸６により支持本体７に対し回転可能で、横向きや、上向き、又下向きに方向自在に使用することができ極めて使用性が高いのである。
図８は、天井裏での使用状態を示すもので、支持本体７を天井に取り付けて、ＬＥＤ灯を上向きにした場合を示すもので、透明部７ａを透過してあらゆる方向を照らすことが出来る。
図９は、天井裏での使用状況での灯具を示す断面図である。【００２３】  また、支持本体７の両端部付近には、引掛け具１４が設けられ、紐１５を介して首や、各所に、吊るし支持することが出来る。【００２４】又、支持本体７の下部には、離間して非接触型充電器１６が設けられ、そこに置くだけで充電が可能となる。【００２５】  支持本体７の両端の少なくとも一方には、ＡＣ電源供給孔１７が設けられ、ＡＣ／ＤＣ変換器を介して交流電源に接続し充電できるよう構成されている。
又、支持本体７の両端の少なくとも一方には、ＵＳＢ端子２２、又は、ＳＤカード挿入孔２３、又は、マイクロＳＤカード挿入孔２３ａ、又はＨＤＭＩ端子２４、又はマイクロＨＤＭＩ端子２４ａ、又は、スマートホーン用端子２４ｂ、又は上記のいずれかの２種以上の組合せによる給電装置により電源に接続し、充電できるよう構成されている。
又、支持本体７の両端の少なくとも一方には、表示部１９が設けられ、灯具本体１の明るさ、又は切り替え時の状態、又は人感センサーの作動、又は温度等の情報が表示出来るよう構成されている。
又、支持本体７の片面、又は両面には端部照明用のＬＥＤ等３を、設けてもよい。
【実施例２】
【００２６】  図１０には、他の実施例としてＬＥＤ灯の代りに、ＣＣＦＬ灯２５を取付けた形態を示している。
【産業上の利用可能性】
【００２７】  本考案の活用例としては、以上説明したように、広い範囲を、照射できるため照明効果が大きい画期的構成を提供し、充電機能により携帯使用ができるため、作業時や災害時に有効で、極めて実用的、かつ安価な構成を提供することにより利便性を大幅に高め、新商品による産業の発展に貢献できる、きわめて新規かつ実用的な考案である。
【符号の説明】
【００２８】１    灯具本体
２    カバー
３    ＬＥＤ灯
４    回路基板
５    端面カバー
６    回転軸
７    支持本体
７ａ  透明板
８    切替えスイッチ
８ａ  別の切替えスイッチ
９    調節部
１０  蓄電器
１１  接着部
１３  仕切り板
１４  引掛け具
１５  紐
１６  非接触型充電器
１７  ＡＣ電源供給孔
１９  表示部
２０  基板押え
２１  センサーユニット
２２  ＵＳＢ端子
２３  ＳＤカード挿入孔
２３ａ  マイクロＳＤカード挿入孔
２４    ＨＤＭＩ端子
２４ａ  マイクロＨＤＭＩ端子
２４ｂ  スマートホーン用端子
２５  ＣＣＦＬ灯
【図１】
0003206375.tif 000003
【図２】
0003206375.tif 000004
【図３】
0003206375.tif 000005
【図４】
0003206375.tif 000006
【図５】
0003206375.tif 000007
【図６】
0003206375.tif 000008
【図７】
0003206375.tif 000009
【図８】
0003206375.tif 000010
【図９】
0003206375.tif 000011
【図１０】
0003206375.tif 000012